(57)【要約】【課題】銀行以外の店舗であっても、既存の設備を最大限に活用しつつ、防犯上安全に現金払い出しサービスを提供することが可能なキャッシュアウトシステム、キャッシュアウト方法、現金決済端末及びコンピュータプログラムを提供する。【解決手段】キャッシュアウトする払出金額の入力を取得し、払出金額を特定するための課金識別子を生成して出力する。現金決済端末は、キャッシュアウトすることが可能な金額と対応付けたキャッシュアウト情報を生成し、現金払出可能金額を課金管理装置へ提供する。取得した課金識別子に基づいて払出金額を取得し、カード決済端末に払出金額及び手数料の合計金額に関するデータを送信する。カード決済端末は、引落指示を金融機関システムに送信し、現金決済端末が引落完了通知を取得した場合、キャッシュアウト情報に対応付けられた金額相当分の現金の払出処理を実行する。【選択図】図５
2020166574.tif 000002
【特許請求の範囲】
【請求項１】
金融機関カードを管理する金融機関システムにネットワークを介して接続されるカード決済端末と、
前記カード決済端末に接続された現金決済端末と
を備え、前記現金決済端末により口座残高からキャッシュアウトするキャッシュアウトシステムであって、
キャッシュアウトする払出金額の入力を取得し、前記払出金額を特定するための課金識別子を生成して出力する課金管理装置と、
前記課金識別子を読み取るリーダと
をさらに有し、
前記現金決済端末は、
キャッシュアウトすることが可能な金額と対応付けたキャッシュアウト情報を生成するキャッシュアウト情報生成手段と、
生成された前記キャッシュアウト情報に対応付けられた現金払出可能金額を前記課金管理装置へ提供する現金払出可能金額提供手段と、
前記リーダにより取得した前記課金識別子に基づいて前記払出金額を取得し、前記カード決済端末に前記払出金額及び手数料の合計金額に関するデータを送信する払出金額送信手段と
を備え、
前記カード決済端末は、前記金融機関カードから読み取ったカードデータ及び前記合計金額に関するデータを含む引落指示を前記金融機関システムに送信する引落依頼手段を有し、
前記現金決済端末は、前記カード決済端末から引落完了通知を取得し、前記キャッシュアウト情報に対応付けられた金額相当分の現金の払出処理を実行する現金払出手段を有することを特徴とするキャッシュアウトシステム。
【請求項２】
前記課金管理装置は、生成された前記課金識別子を外部の端末装置へ送信し、
前記現金払出可能金額提供手段は、前記外部の端末装置へ前記現金払出可能金額を送信し、
前記外部の端末装置は、
受信した前記現金払出可能金額及び前記課金識別子を表示する表示手段と、
キャッシュアウトする払出金額の入力を受け付ける入力受付手段と
を備えることを特徴とする請求項１に記載のキャッシュアウトシステム。
【請求項３】
前記現金決済端末は、前記課金識別子を取得してから一定時間経過するまで、前記リーダが取得した前記課金識別子とは異なる他の課金識別子を取得しないよう設定することを特徴とする請求項１又は２に記載のキャッシュアウトシステム。
【請求項４】
前記現金決済端末は、前記課金識別子を取得してから一定時間経過するまで現金の払出処理が行われなかった場合、前記課金識別子を無効とすることを特徴とする請求項３に記載のキャッシュアウトシステム。
【請求項５】
金融機関カードを管理する金融機関システムにネットワークを介して接続されるカード決済端末と、
前記カード決済端末に接続された現金決済端末と
を用い、前記現金決済端末により口座残高からキャッシュアウトするキャッシュアウト方法であって、
キャッシュアウトする払出金額の入力を取得し、前記払出金額を特定するための課金識別子を生成して出力する課金管理装置と、
前記課金識別子を読み取るリーダと
を有し、
前記現金決済端末は、
キャッシュアウトすることが可能な金額と対応付けたキャッシュアウト情報を生成する工程と、
生成された前記キャッシュアウト情報に対応付けられた現金払出可能金額を前記課金管理装置へ提供する工程と、
前記リーダにより取得した前記課金識別子に基づいて前記払出金額を取得し、前記カード決済端末に前記払出金額及び手数料の合計金額に関するデータを送信する工程と
を含み、
前記カード決済端末は、前記金融機関カードから読み取ったカードデータ及び前記合計金額に関するデータを含む引落指示を前記金融機関システムに送信し、
前記現金決済端末は、前記カード決済端末から引落完了通知を取得し、前記キャッシュアウト情報に対応付けられた金額相当分の現金の払出処理を実行することを特徴とするキャッシュアウト方法。
【請求項６】
前記課金管理装置は、生成された前記課金識別子を外部の端末装置へ送信し、
前記現金決済端末は、前記外部の端末装置へ前記現金払出可能金額を送信し、
前記外部の端末装置は、
受信した前記現金払出可能金額及び前記課金識別子を表示する工程と、
キャッシュアウトする払出金額の入力を受け付ける工程と
を含むことを特徴とする請求項５に記載のキャッシュアウト方法。
【請求項７】
前記現金決済端末は、前記課金識別子を取得してから一定時間経過するまで、前記リーダが取得した前記課金識別子とは異なる他の課金識別子を取得しないよう設定することを特徴とする請求項５又は６に記載のキャッシュアウト方法。
【請求項８】
前記現金決済端末は、前記課金識別子を取得してから一定時間経過するまで現金の払出処理が行われなかった場合、前記課金識別子を無効とすることを特徴とする請求項７に記載のキャッシュアウト方法。
【請求項９】
金融機関カードを管理する金融機関システムにネットワークを介して接続されるカード決済端末とデータ通信することが可能に接続されている現金決済端末であって、
キャッシュアウトする払出金額の入力を取得し、前記払出金額を特定するための課金識別子を生成して出力する課金管理装置と、
前記課金識別子を読み取るリーダとにデータ通信可能に接続されており、
キャッシュアウトすることが可能な金額と対応付けたキャッシュアウト情報を生成するキャッシュアウト情報生成手段と、
生成された前記キャッシュアウト情報に対応付けられた現金払出可能金額を前記課金管理装置へ提供する現金払出可能金額提供手段と、
前記リーダにより取得した前記課金識別子に基づいて前記払出金額を取得し、前記カード決済端末に前記払出金額及び手数料の合計金額に関するデータを送信する払出金額送信手段と
を備えることを特徴とする現金決済端末。
【請求項１０】
金融機関カードを管理する金融機関システムにネットワークを介して接続されるカード決済端末とデータ通信することが可能に接続されている現金決済端末で実行することが可能なコンピュータプログラムであって、
キャッシュアウトする払出金額の入力を取得し、前記払出金額を特定するための課金識別子を生成して出力する課金管理装置と、
前記課金識別子を読み取るリーダとにデータ通信可能に接続されており、
前記現金決済端末を、 
キャッシュアウトすることが可能な金額と対応付けたキャッシュアウト情報を生成するキャッシュアウト情報生成手段、
生成された前記キャッシュアウト情報に対応付けられた現金払出可能金額を前記課金管理装置へ提供する現金払出可能金額提供手段、及び
前記リーダにより取得した前記課金識別子に基づいて前記払出金額を取得し、前記カード決済端末に前記払出金額及び手数料の合計金額に関するデータを送信する払出金額送信手段
として機能させることを特徴とするコンピュータプログラム。
【請求項１１】
口座の入出金を管理する金融機関システムにネットワークを介して接続される、ユーザが使用する携帯型の端末装置で実行することが可能なコンピュータプログラムであって、
キャッシュアウトする払出金額の入力を取得して表示する課金管理装置とデータ通信可能に接続されており、
前記端末装置を、
前記課金管理装置で生成されて取得した、キャッシュアウトすることが可能な金額と対応付けたキャッシュアウト情報に対応付けられた現金払出可能金額を表示する現金払出可能金額提供手段、
希望の払出金額の入力を受け付ける入力受付手段、
前記金融機関システムへ、入力を受け付けた払出金額の引き落とし処理を依頼する引落依頼手段、
引き落とし処理が完了した旨を示す引落完了通知を受信した場合、前記払出金額を特定するための課金識別子を生成する課金識別子生成手段、及び
生成された課金識別子を表示する課金識別子表示手段
として機能させることを特徴とするコンピュータプログラム。
【発明の詳細な説明】
【技術分野】
【０００１】
本発明は、銀行以外の店舗で安全に現金払い出しサービスを提供することが可能なキャッシュアウトシステム、キャッシュアウト方法、現金決済端末及びコンピュータプログラムに関する。
【背景技術】
【０００２】
近年、スマートフォンの普及、あるいはデビットカードなどの普及により、銀行で現金を引き出すことなく買い物ができる店舗が急増している。このように、現金を持ち歩かないで買い物ができるよう様々な機器やサービスが提供されている一方、我が国では、いまだに現金での商取引が主流となっている。
【０００３】
現在、銀行のＡＴＭを店舗に設置して、現金を引き出す方法は普及している。この場合、現金の管理は銀行が行うので、店舗側は出金可能額の心配をする必要がない。しかし、銀行としては、管理コストが増大するため、店舗に任せる仕組みを模索している。
【０００４】
そこで、特許文献１では、コンビニエンスストア等の設備を活用して、他の商品と同じようにキャッシュアウト用商品札をレジへ持ち込むことにより現金を引き出すことが可能となるキャッシュアウト処理システムが開示されている。特許文献１では、キャッシュアウト用商品札にキャッシュアウトする金額を含む商品コードを付与し、決済時にはデビットカードを介して口座引き落としを行っている。
【先行技術文献】
【特許文献】
【０００５】
【特許文献１】特開２００７−２４１７６０号公報
【発明の概要】
【発明が解決しようとする課題】
【０００６】
特許文献１に開示されているキャッシュアウト処理システムでは、キャッシュアウトする金額を準備しておく必要がある。しかし、キャッシュアウト用の現金は、通常の店舗におけるレジ端末で用いる現金と兼用しているので、通常のレジ業務の込み具合によっては、キャッシュアウトするための現金が不足する可能性があるという問題点があった。
【０００７】
斯かる問題を事前に回避するために余分の現金を保管しておくことも考えられる。しかし、例えばコンビニエンスストアのように２４時間３６５日営業している店舗では、現金を多めに保管しておくことに対する防犯上のセキュリティ対策を施す必要が生じる。したがって、システムを導入するコスト負担が増えるという問題点もあった。
【０００８】
本発明は、斯かる事情に鑑みてなされたものであり、銀行以外の店舗であっても、既存の設備を最大限に活用しつつ、防犯上安全に現金払い出しサービスを提供することが可能なキャッシュアウトシステム、キャッシュアウト方法、現金決済端末及びコンピュータプログラムを提供することを目的とする。
【課題を解決するための手段】
【０００９】
上記目的を達成するために第１発明に係るキャッシュアウトシステムは、金融機関カードを管理する金融機関システムにネットワークを介して接続されるカード決済端末と、前記カード決済端末に接続された現金決済端末とを備え、前記現金決済端末により口座残高からキャッシュアウトするキャッシュアウトシステムであって、キャッシュアウトする払出金額の入力を取得し、前記払出金額を特定するための課金識別子を生成して出力する課金管理装置と、前記課金識別子を読み取るリーダとをさらに有し、前記現金決済端末は、キャッシュアウトすることが可能な金額と対応付けたキャッシュアウト情報を生成するキャッシュアウト情報生成手段と、生成された前記キャッシュアウト情報に対応付けられた現金払出可能金額を前記課金管理装置へ提供する現金払出可能金額提供手段と、前記リーダにより取得した前記課金識別子に基づいて前記払出金額を取得し、前記カード決済端末に前記払出金額及び手数料の合計金額に関するデータを送信する払出金額送信手段とを備え、前記カード決済端末は、前記金融機関カードから読み取ったカードデータ及び前記合計金額に関するデータを含む引落指示を前記金融機関システムに送信する引落依頼手段を有し、前記現金決済端末は、前記カード決済端末から引落完了通知を取得し、前記キャッシュアウト情報に対応付けられた金額相当分の現金の払出処理を実行する現金払出手段を有することを特徴とする。
【００１０】
また、第２発明に係るキャッシュアウトシステムは、第１発明において、前記課金管理装置は、生成された前記課金識別子を外部の端末装置へ送信し、前記現金払出可能金額提供手段は、前記外部の端末装置へ前記現金払出可能金額を送信し、前記外部の端末装置は、受信した前記現金払出可能金額及び前記課金識別子を表示する表示手段と、キャッシュアウトする払出金額の入力を受け付ける入力受付手段とを備えることが好ましい。
【００１１】
また、第３発明に係るキャッシュアウトシステムは、第１又は第２発明において、前記現金決済端末は、前記課金識別子を取得してから一定時間経過するまで、前記リーダが取得した前記課金識別子とは異なる他の課金識別子を取得しないよう設定することが好ましい。
【００１２】
また、第４発明に係るキャッシュアウトシステムは、第３発明において、前記現金決済端末は、前記課金識別子を取得してから一定時間経過するまで現金の払出処理が行われなかった場合、前記課金識別子を無効とすることが好ましい。
【００１３】
次に、上記目的を達成するために第５発明に係るキャッシュアウト方法は、金融機関カードを管理する金融機関システムにネットワークを介して接続されるカード決済端末と、前記カード決済端末に接続された現金決済端末とを用い、前記現金決済端末により口座残高からキャッシュアウトするキャッシュアウト方法であって、キャッシュアウトする払出金額の入力を取得し、前記払出金額を特定するための課金識別子を生成して出力する課金管理装置と、前記課金識別子を読み取るリーダとを有し、前記現金決済端末は、キャッシュアウトすることが可能な金額と対応付けたキャッシュアウト情報を生成する工程と、生成された前記キャッシュアウト情報に対応付けられた現金払出可能金額を前記課金管理装置へ提供する工程と、前記リーダにより取得した前記課金識別子に基づいて前記払出金額を取得し、前記カード決済端末に前記払出金額及び手数料の合計金額に関するデータを送信する工程とを含み、前記カード決済端末は、前記金融機関カードから読み取ったカードデータ及び前記合計金額に関するデータを含む引落指示を前記金融機関システムに送信し、前記現金決済端末は、前記カード決済端末から引落完了通知を取得し、前記キャッシュアウト情報に対応付けられた金額相当分の現金の払出処理を実行することを特徴とする。
【００１４】
また、第６発明に係るキャッシュアウト方法は、第５発明において、前記課金管理装置は、生成された前記課金識別子を外部の端末装置へ送信し、前記現金決済端末は、前記外部の端末装置へ前記現金払出可能金額を送信し、前記外部の端末装置は、受信した前記現金払出可能金額及び前記課金識別子を表示する工程と、キャッシュアウトする払出金額の入力を受け付ける工程とを含むことが好ましい。
【００１５】
また、第７発明に係るキャッシュアウト方法は、第５又は第６発明において、  前記現金決済端末は、前記課金識別子を取得してから一定時間経過するまで、前記リーダが取得した前記課金識別子とは異なる他の課金識別子を取得しないよう設定することが好ましい。
【００１６】
また、第８発明に係るキャッシュアウトシステムは、第７発明において、前記現金決済端末は、前記課金識別子を取得してから一定時間経過するまで現金の払出処理が行われなかった場合、前記課金識別子を無効とすることが好ましい。
【００１７】
次に、上記目的を達成するために第９発明に係る現金決済端末は、金融機関カードを管理する金融機関システムにネットワークを介して接続されるカード決済端末とデータ通信することが可能に接続されている現金決済端末であって、キャッシュアウトする払出金額の入力を取得し、前記払出金額を特定するための課金識別子を生成して出力する課金管理装置と、前記課金識別子を読み取るリーダとにデータ通信可能に接続されており、キャッシュアウトすることが可能な金額と対応付けたキャッシュアウト情報を生成するキャッシュアウト情報生成手段と、生成された前記キャッシュアウト情報に対応付けられた現金払出可能金額を前記課金管理装置へ提供する現金払出可能金額提供手段と、前記リーダにより取得した前記課金識別子に基づいて前記払出金額を取得し、前記カード決済端末に前記払出金額及び手数料の合計金額に関するデータを送信する払出金額送信手段とを備えることを特徴とする。
【００１８】
次に、上記目的を達成するために第１０発明に係るコンピュータプログラムは、金融機関カードを管理する金融機関システムにネットワークを介して接続されるカード決済端末とデータ通信することが可能に接続されている現金決済端末で実行することが可能なコンピュータプログラムであって、キャッシュアウトする払出金額の入力を取得し、前記払出金額を特定するための課金識別子を生成して出力する課金管理装置と、前記課金識別子を読み取るリーダとにデータ通信可能に接続されており、前記現金決済端末を、キャッシュアウトすることが可能な金額と対応付けたキャッシュアウト情報を生成するキャッシュアウト情報生成手段、生成された前記キャッシュアウト情報に対応付けられた現金払出可能金額を前記課金管理装置へ提供する現金払出可能金額提供手段、及び前記リーダにより取得した前記課金識別子に基づいて前記払出金額を取得し、前記カード決済端末に前記払出金額及び手数料の合計金額に関するデータを送信する払出金額送信手段として機能させることを特徴とする。
【００１９】
次に、上記目的を達成するために第１１発明に係るコンピュータプログラムは、口座の入出金を管理する金融機関システムにネットワークを介して接続される、ユーザが使用する携帯型の端末装置で実行することが可能なコンピュータプログラムであって、キャッシュアウトする払出金額の入力を取得して表示する課金管理装置とデータ通信可能に接続されており、前記端末装置を、前記課金管理装置で生成されて取得した、キャッシュアウトすることが可能な金額と対応付けたキャッシュアウト情報に対応付けられた現金払出可能金額を表示する現金払出可能金額提供手段、希望の払出金額の入力を受け付ける入力受付手段、前記金融機関システムへ、入力を受け付けた払出金額の引き落とし処理を依頼する引落依頼手段、引き落とし処理が完了した旨を示す引落完了通知を受信した場合、前記払出金額を特定するための課金識別子を生成する課金識別子生成手段、及び生成された課金識別子を表示する課金識別子表示手段として機能させることを特徴とする。
【００２０】
第１発明、第５発明、第９発明及び第１０発明では、キャッシュアウトする払出金額の入力を取得し、払出金額を特定するための課金識別子を生成して出力する課金管理装置と、課金識別子を読み取るリーダとを有している。現金決済端末は、キャッシュアウトすることが可能な金額と対応付けたキャッシュアウト情報を生成し、生成されたキャッシュアウト情報に対応付けられた現金払出可能金額を課金管理装置へ提供する。リーダにより取得した課金識別子に基づいて払出金額を取得し、カード決済端末に払出金額及び手数料の合計金額に関するデータを送信する。カード決済端末は、金融機関カードから読み取ったカードデータ及び合計金額に関するデータを含む引落指示を金融機関システムに送信し、現金決済端末は、カード決済端末から引落完了通知を取得し、キャッシュアウト情報に対応付けられた金額相当分の現金の払出処理を実行する。キャッシュアウトすることが可能な金額と対応付けたキャッシュアウト情報に基づいた課金識別子を読み取るので、キャッシュアウトする現金が不足することなくキャッシュアウトサービスを提供することができる。また、現金払出可能金額を課金管理装置が把握することができるので、キャッシュアウトすることが可能な金額を、現金を引き出す前に確認する手段を設けることができ、第三者がどの程度の現金が店舗に存在するかを判断することができるので、無意味な犯罪を抑制することが可能となる。
【００２１】
第２発明及び第６発明では、課金管理装置は、生成された課金識別子を外部の端末装置へ送信し、現金決済端末は、外部の端末装置へ現金払出可能金額を送信する。外部の端末装置は、受信した現金払出可能金額及び課金識別子を表示し、キャッシュアウトする払出金額の入力を受け付ける。これにより、スマートフォン等の外部の端末装置で現金払出可能金額を確認することができるので、キャッシュアウトすることが可能な金額が店舗にどの程度保管されているかを第三者が確認することができ、キャッシュアウトできない状態での払い出し要求を未然に回避することが可能となる。
【００２２】
第３発明及び第７発明では、現金決済端末は、課金識別子を取得してから一定時間経過するまで、リーダが取得した課金識別子とは異なる他の課金識別子を取得しないよう設定するので、現金の払い出しが完了するまで他の払い出しを一定時間行わないよう制御することができ、払い出す現金が不足することを未然に回避することが可能となる。
【００２３】
第４発明及び第８発明では、現金決済端末は、課金識別子を取得してから一定時間経過するまで現金の払出処理が行われなかった場合、課金識別子を無効とするので、現金の払い出しに必要となる現金を無駄に店舗が保管する必要がなくなり、より防犯上の安全性を増すことができる。
【００２４】
第１１発明では、課金管理装置で生成されて取得した、キャッシュアウトすることが可能な金額と対応付けたキャッシュアウト情報に対応付けられた現金払出可能金額を表示する。希望の払出金額の入力を受け付け、入力を受け付けた払出金額の引き落とし処理を依頼する。引き落とし処理が完了した旨を示す引落完了通知を受信した場合、前記払出金額を特定するための課金識別子を生成して、表示する。キャッシュアウトすることが可能な金額と対応付けたキャッシュアウト情報に基づいた課金識別子を読み取るので、金融機関システムとデータ通信することが可能な携帯型の端末装置単体で会っても、キャッシュアウトする現金が不足することなくキャッシュアウトサービスを提供することができる。また、現金払出可能金額を課金管理装置が把握することができるので、キャッシュアウトすることが可能な金額を、現金を引き出す前に確認する手段を設けることができ、第三者がどの程度の現金が店舗に存在するかを判断することができるので、無意味な犯罪を抑制することが可能となる。
【発明の効果】
【００２５】
上記構成によれば、キャッシュアウトすることが可能な金額と対応付けたキャッシュアウト情報に基づいた課金識別子を読み取るので、キャッシュアウトする現金が不足することなくキャッシュアウトサービスを提供することができる。また、現金払出可能金額を課金管理装置が把握することができるので、キャッシュアウトすることが可能な金額を、現金を引き出す前に確認する手段を設けることができ、第三者がどの程度の現金が店舗に存在するかを判断することができるので、無意味な犯罪を抑制することが可能となる。
【図面の簡単な説明】
【００２６】
【図１】本発明の実施の形態１に係るキャッシュアウトシステムの構成を示すブロック図である。
【図２】本発明の実施の形態１に係るキャッシュアウトシステムのカード決済端末の構成を示すブロック図である。
【図３】本発明の実施の形態１に係るキャッシュアウトシステムの現金決済端末の構成を示す模式図である。
【図４】本発明の実施の形態１に係るキャッシュアウトシステムの課金管理装置を、ＣＰＵを用いて構成した場合の構成を示すブロック図である。
【図５】本発明の実施の形態１に係るキャッシュアウトシステムの機能ブロック図である。
【図６】本発明の実施の形態１に係るキャッシュアウトシステムの課金管理装置の払出可能金額の表示画面の例示図である。
【図７】本発明の実施の形態１に係るキャッシュアウトシステムの課金管理装置の払出金額入力画面の例示図である。
【図８】本発明の実施の形態１に係るキャッシュアウトシステムの現金決済端末の制御部の処理手順を示すフローチャートである。
【図９】本発明の実施の形態２に係るキャッシュアウトシステムのスマートフォン（外部の端末装置）の構成を示すブロック図である。
【図１０】本発明の実施の形態２に係るキャッシュアウトシステムの機能ブロック図である。
【図１１】本発明の実施の形態２に係るキャッシュアウトシステムのスマートフォンの払出可能金額の表示画面の例示図である。
【図１２】本発明の実施の形態２に係るキャッシュアウトシステムのスマートフォンの払出金額入力画面の例示図である。
【図１３】本発明の実施の形態３に係るキャッシュアウトシステムの機能ブロック図である。
【図１４】本発明の実施の形態３に係るキャッシュアウトシステムの課金管理装置の払出可能金額の設定画面の例示図である。
【図１５】本発明の実施の形態３に係るキャッシュアウトシステムの現金決済端末の制御部の処理手順を示すフローチャートである。
【図１６】本発明の実施の形態４に係るキャッシュアウトシステムの機能ブロック図である。
【図１７】本発明の実施の形態４に係るキャッシュアウトシステムのスマートフォンの払出可能金額の表示画面の例示図である。
【図１８】本発明の実施の形態４に係るキャッシュアウトシステムのスマートフォンの払出金額入力画面の例示図である。
【図１９】本発明の実施の形態４に係るキャッシュアウトシステムのスマートフォンの処理手順を示すフローチャートである。
【発明を実施するための形態】
【００２７】
以下、本発明の実施の形態に係るキャッシュアウトシステムについて図面に基づいて具体的に説明する。なお、以下の実施の形態において、店舗としてコンビニエンスストアを想定し、現金決済端末にはレジ端末を想定して説明している。ただし、特にこれらに限定されるものではない。
【００２８】
（実施の形態１）
図１は、本発明の実施の形態１に係るキャッシュアウトシステムの構成を示すブロック図である。図１に示すように、本実施の形態１に係るキャッシュアウトシステムは、金融機関カードを管理する金融機関システムにネットワーク３を介して接続されるカード決済端末２と、カード決済端末２に接続された現金決済端末１と、キャッシュアウトする払出金額の入力を取得し、払出金額を特定するための課金識別子を生成して出力する課金管理装置４と、課金識別子を読み取るリーダ５とで構成されている。
【００２９】
図２は、本発明の実施の形態１に係るキャッシュアウトシステムのカード決済端末２の構成を示すブロック図である。図２に示すように、本実施の形態１に係るカード決済端末２は、少なくとも金融機関カードを読み取る読取部２１、金融機関システムとのデータ通信を行う通信部２２、及び暗証番号の入力を受け付ける入力部２３とを備えている。金融機関カードの暗証番号の入力を受け付けることで、金融機関の口座からキャッシュアウトに相当する金額を引き落とすことができる。
【００３０】
読取部２１では、実カードを読み取ることはもちろん、例えばスマートフォンのウォレット内のカードを読み取っても良い。また、金融機関カードとしては、銀行キャッシュカード、クレジットカード、デビットカード、電子マネーカード等、金融機関に管理されているカードであれば特に限定されるものではない。
【００３１】
図３は、本発明の実施の形態１に係るキャッシュアウトシステムの現金決済端末１の構成を示す模式図である。図３に示すように、本実施の形態１に係る現金決済端末１は、通常のレジ端末と同様に、ＣＰＵ、ＩＣ、マイコン、ＦＰＧＡ等で構成される演算を行う制御部（中央演算装置）１１、演算に伴って発生する一時的な情報を記憶するメモリ１２、ハードディスク等の記憶装置１３、Ｉ／Ｏインタフェース１４、可搬型ディスクドライブ１５、通信インタフェース１６及び上述したハードウェアを接続する内部バス１７で構成されている。
【００３２】
制御部１１は、内部バス１７を介して現金決済端末１の上述したようなハードウェア各部と接続されており、上述したハードウェア各部の動作を制御するとともに、記憶装置１３に記憶しているコンピュータプログラム１００に従って、種々のソフトウェア的機能を実行する。メモリ１２は、ＳＲＡＭ、ＳＤＲＡＭ等の揮発性メモリで構成され、コンピュータプログラム１００の実行時にロードモジュールが展開され、コンピュータプログラム１００の実行時に発生する一時的なデータ等を記憶する。
【００３３】
記憶装置１３は、内蔵される固定型記憶装置（ハードディスク）、ＲＯＭ等で構成されている。記憶装置１３に記憶しているコンピュータプログラム１００は、プログラム及びデータ等の情報を記録したＤＶＤ、ＣＤ−ＲＯＭ、ＵＳＢメモリ等の可搬型記録媒体９０から、可搬型ディスクドライブ１５によりダウンロードされ、実行時には記憶装置１３からメモリ１２へ展開して実行される。もちろん、通信インタフェース１６を介して、接続されている外部のコンピュータからダウンロードされたコンピュータプログラムであっても良い。
【００３４】
通信インタフェース１６は内部バス１７に接続されており、インターネット、ＬＡＮ、ＷＡＮ等の外部のネットワークに接続されることにより、カード決済端末２、課金管理装置４、リーダ５等とデータ送受信を行うことが可能となっている。
【００３５】
Ｉ／Ｏインタフェース１４は、入力装置１８と接続され、データの入力を受け付ける。また、Ｉ／Ｏインタフェース１４は、ＣＲＴモニタ、ＬＣＤ等の表示装置１９とも接続され、所定の画像を表示する。
【００３６】
リーダ５は、例えば光学読取装置で構成されており、課金管理装置４で生成された、払出金額を特定するための課金識別子、例えばＱＲコード（登録商標）、バーコード等を読み取る。本実施の形態１では、課金識別子がバーコードであり、課金管理装置４から印字出力される場合について説明する。この場合、リーダ５にバーコードをかざすことにより、現金決済端末１は必要な情報を取得することができる。
【００３７】
図４は、本発明の実施の形態１に係るキャッシュアウトシステムの課金管理装置４を、ＣＰＵを用いた場合の構成を示すブロック図である。図４に示すように、本実施の形態１に係る課金管理装置４は、演算を行う演算部を構成するＣＰＵ（中央演算装置）４１、演算に伴って発生する一時的な情報を記憶するメモリ４２、記憶装置４３、Ｉ／Ｏインタフェース４４、通信インタフェース４５及び上述したハードウェアを接続する内部バス４６で構成されている。
【００３８】
ＣＰＵ４１は、内部バス４６を介して課金管理装置４の上述したようなハードウェア各部と接続されており、上述したハードウェア各部の動作を制御するとともに、記憶装置４３に記憶しているコンピュータプログラムに従って、種々のソフトウェア的機能を実行する。メモリ４２は、ＳＲＡＭ、ＳＤＲＡＭ等の揮発性メモリで構成され、コンピュータプログラムの実行時にロードモジュールが展開され、コンピュータプログラムの実行時に発生する一時的なデータ等を記憶する。
【００３９】
記憶装置４３は、内蔵される固定型記憶装置（ハードディスク）、ＲＯＭ等で構成されている。記憶装置４３に記憶しているコンピュータプログラムは、プログラム及びデータ等の情報として、通信インタフェース４５を介して、接続されている外部のコンピュータからダウンロードされる。実行時には記憶装置４３からメモリ４２へ展開して実行される。
【００４０】
通信インタフェース４５は内部バス４６に接続されており、インターネット、ＬＡＮ、ＷＡＮ等の外部のネットワークに接続されることにより、現金決済端末１、あるいは外部の（携帯型）端末装置、例えばスマートフォン６等とデータ送受信を行うことが可能となっている。
【００４１】
Ｉ／Ｏインタフェース４４は、入力装置と表示装置とを兼ね備えたタッチディスプレイ４７等に接続され、所定の画像を表示するとともに、データの入力を受け付ける。
【００４２】
以下、本発明の実施の形態１に係るキャッシュアウトシステムの動作について説明する。図５は、本発明の実施の形態１に係るキャッシュアウトシステムの機能ブロック図である。
【００４３】
図５に示すように、現金決済端末１のキャッシュアウト情報生成部１０１は、キャッシュアウトすることが可能な金額と対応付けたキャッシュアウト情報を生成する。この時点で実際に店舗において払い出すことが可能な現金に合わせてキャッシュアウト情報を生成することができ、支払うための現金が過少になることを未然に防ぐことができる。
【００４４】
現金決済端末１の現金払出可能金額提供部１０２は、生成されたキャッシュアウト情報に対応付けられた現金払出可能金額を課金管理装置４へ送信（提供）する。現金払出可能金額とは、現金払出が可能な金額であり、キャッシュアウト情報に含まれる金額そのものであっても良いし、現金払出が可能な金額として修正を受付けた金額であっても良い。また、払出処理の手数料を含んでも良いし、含まなくても良い。後述する現金払出可能金額提供部４４２も同様とする。現金をキャッシュアウトしたいユーザは、金融機関システム７とリンクしているカード、例えばキャッシュカード、デビットカード等をカード決済端末２のカード読取部２０１で読み取らせて、暗証番号取得部２０２で暗証番号を入力する。
【００４５】
暗証番号の正否は、照合部２０３が金融機関システム７とデータ通信することで照合する。照合部２０３で暗証番号が正しいと判断された場合には、課金管理装置４へその旨を示す情報を送信し、このタイミングで課金管理装置４のタッチディスプレイ４７に現金払出可能金額表示部４０１が現金払出可能金額を含めた必要な情報を表示する。
【００４６】
すなわち、課金管理装置４の現金払出可能金額表示部４０１は、現金決済端末１から受信して記憶してある現金払出可能金額をタッチディスプレイ４７に表示し、払出金額入力受付部４０２は、ユーザから払出金額の入力を受け付ける。図６は、本発明の実施の形態１に係るキャッシュアウトシステムの課金管理装置４の払出可能金額の表示画面の例示図である。
【００４７】
図６に示すように、課金管理装置４のタッチディスプレイ４７では、現金決済端末１のキャッシュアウト情報生成部１０１で生成されたキャッシュアウト情報を、現金の券種ごとに表示する。図６の例では、１万円札が２０枚、千円札が１００枚、キャッシュアウト用に現金決済端末１に準備されていることを表示している。
【００４８】
ユーザは、キャッシュアウトしたい現金を券種を含めて指定することができる。図７は、本発明の実施の形態１に係るキャッシュアウトシステムの課金管理装置４の払出金額入力画面の例示図である。
【００４９】
図７に示すように、図６に示す画面の払出金額入力ボタン７０が選択された場合、課金管理装置４のタッチディスプレイ４７に払出金額入力画面が表示される。図７において、金額指定ボタン７２を選択して、払出金額を表示領域７１に表示させる。
【００５０】
払出金額が確定した時点で、確認ボタン７３を選択することで払出金額が確定する。払い出しの手数料は、確定した払出金額に対して決定する。この状態でＯＫボタン７７を選択した場合、券種は特に指定されずにキャッシュアウトされる。
【００５１】
ＯＫボタン７７を選択せずに、キャッシュアウトする券種を指定することもできる。この場合、指定することが可能な券種は、券種残表示領域７４に表示されている。設定ボタン７５で、払い出す券種とその枚数の指定を受け付け、総計表示領域７６で確認する。最後に、ＯＫボタン７７が選択された場合、指定を受け付けた券種によるキャッシュアウト指示として払出金額に関する情報が現金決済端末１へと送信され、キャッシュアウトが実行される。引落依頼部２０４は、所定の口座から引き落とすと同時に、店舗の口座に入金する旨を依頼する。手数料を含めた金額を引き落し、同じ金額を店舗の口座に入金しても良い。あるいはキャッシュアウトサービスの運営会社の口座に手数料を入金しても良い。
【００５２】
図５に戻って、課金識別子生成部４０３は、入力を受け付けた払出金額に関する情報に対応した課金識別子を生成する。課金識別子としては、バーコード、ＱＲコード（登録商標）等、現金決済端末１に接続されているリーダ５を介して読み取り可能なコードであれば、特に限定されるものではない。
【００５３】
課金識別子が生成された時点で、払出金額に関する情報が現金決済端末１へ送信される。なお、払出金額に関する情報には、店舗が定める所定の手数料も含まれる。現金決済端末１の払出金額送信部１０３は、受信した払出金額に関する情報をカード決済端末２へ転送することで、読み取った金融機関カードに対応する金融機関システム７の指定口座からの引き落とし処理を依頼する。金融機関システム７は、払出金額と手数料との合計金額を所定の口座から引き落とす。
【００５４】
カード決済端末２の引落依頼部２０４は、現金決済端末１からの依頼を受け付けた時点で、金融機関システム７へ所定の口座からの引き落とし処理を依頼する。金融機関システム７は、所定の口座の暗証番号を照合して、正しければ引き落とし処理を実行して、引落完了通知をカード決済端末２へ送信する。暗証番号が正しくない場合、あるいは引き落とし金額以上の口座残高がない場合には、引き落とし処理はなされずに、その旨を課金管理装置４へ送信して、タッチディスプレイ４７に表示する。
【００５５】
引落依頼部２０４は、金融機関システム７へ所定の口座から引き落とし処理を依頼する代わりに、店舗の口座に入金するよう依頼しても良い。この場合、金融機関システム７は、手数料を含めた金額を所定の口座から引き落とし、同金額を店舗の口座に入金することになる。併せて、キャッシュアウトサービスの運営会社の口座に対して手数料を入金しても良い。
【００５６】
カード決済端末２の引落完了通知受信部２０５は、金融機関システム７からの引落完了通知を受信し、課金管理装置４の印字出力部４０４へ課金識別子出力指示を送信する。印字出力部４０４は、現金決済端末１に接続されているリーダ５が読み取り可能なコード、例えばバーコード、ＱＲコード（登録商標）として、既に生成されている課金識別子を印字出力する。もちろん、紙媒体への印字出力に限定されるものではなく、例えば何度も再利用が可能であってリーダ５が読み取り可能なカード媒体に出力しても良い。
【００５７】
ユーザは、一定時間が経過する前に、印字出力された課金識別子をリーダ５に読み取らせる。すなわち、現金決済端末１の課金識別子読取部１０４は、印字出力された課金識別子を読み取って、払出情報を取得する。現金決済端末１の現金払出部１０５は、取得した払出情報を確認し、払い出し指示を表示装置１９へ表示する。これにより、店舗の店員は、現金をキャッシュアウトすることが可能となる。
【００５８】
図８は、本発明の実施の形態１に係るキャッシュアウトシステムの現金決済端末１の制御部１１の処理手順を示すフローチャートである。図８に示すように、現金決済端末１の制御部１１は、キャッシュアウトすることが可能な金額と対応付けたキャッシュアウト情報を生成する（ステップＳ８０１）。この時点で実際に店舗において払い出すことが可能な現金に合わせてキャッシュアウト情報を生成することができ、支払うための現金が過少になることを未然に防ぐことができる。
【００５９】
制御部１１は、生成されたキャッシュアウト情報に対応付けられた現金払出可能金額を課金管理装置４へ送信（提供）する（ステップＳ８０２）。現金をキャッシュアウトしたいユーザは、金融機関システム７とリンクしているカード、例えばキャッシュカード、デビットカード等をカード決済端末２で読み取らせて、暗証番号を入力する。
【００６０】
暗証番号が正しいと判断された場合には、課金管理装置４へその旨を示す情報を送信し、このタイミングで課金管理装置４のタッチディスプレイ４７に現金払出可能金額表示部４０１が現金払出可能金額を含めた必要な情報を表示する。
【００６１】
制御部１１は、受信した払出金額に関する情報をカード決済端末２へ転送して（ステップＳ８０３）、読み取った金融機関カードに対応する金融機関システム７の指定口座からの引き落とし処理を依頼する。なお、払出金額に関する情報には、店舗が定める所定の手数料も含まれる。
【００６２】
制御部１１は、印字出力された課金識別子をリーダ５により読み取り（ステップＳ８０４）、払出情報を取得する。制御部１１は、取得した払出情報を確認し、払い出し指示を表示装置１９へ表示する（ステップＳ８０５）。これにより、店舗の店員は、現金をキャッシュアウトすることが可能となる。
【００６３】
以上のように本実施の形態１によれば、キャッシュアウトすることが可能な金額と対応付けたキャッシュアウト情報に基づいた課金識別子を印字出力し、一定時間内に印字出力された課金識別子を読み取るので、キャッシュアウトする現金が不足することなくキャッシュアウトサービスを提供することができる。また、現金払出可能金額を課金管理装置が把握することができるので、キャッシュアウトすることが可能な金額を、現金を引き出す前に確認する手段を設けることができ、第三者がどの程度の現金が店舗に存在するかを判断することができるので、防犯上無意味な犯罪を抑制することが可能となる。
【００６４】
なお、現金決済端末１は、課金識別子を取得してから一定時間経過するまで、リーダ５が取得した課金識別子とは異なる他の課金識別子を取得しないよう設定しても良い。これにより、取得した課金識別子に関するキャッシュアウト処理が完了するまで他のキャッシュアウト処理を一定時間行わないよう制御することができるので、店舗においてキャッシュアウトするための現金が不足する事態が生じるのを未然に回避することが可能となる。
【００６５】
この場合、例えばメッセージとして、「ただいまお取り扱いを停止しています。」、あるいは「しばらくしてからお取引を開始してください。」との表示を、課金管理装置４のタッチディスプレイ４７に表示することが好ましい。これにより、ユーザはしばらくの間キャッシュアウト処理を控えることができる。
【００６６】
また、現金決済端末１は、課金識別子を取得してから一定時間経過するまでキャッシュアウト処理が行われなかった場合、課金識別子を無効にしても良い。例えば２０分以内にレジ端末において課金識別子を読み取らなかった場合等に相当する。
【００６７】
この場合、キャッシュアウトに使用しなかった現金を新たにキャッシュアウト処理用の原資として再利用できるので、必要となる現金を無駄に店舗が保管する必要がなくなり、より防犯上の安全性を増すことができる。
【００６８】
（実施の形態２）
本発明の実施の形態２に係るキャッシュアウトシステムの構成は、基本的に実施の形態１と同様である。しかし、本実施の形態２に係るキャッシュアウトシステムは、払出金額を特定するための課金識別子を生成する課金管理装置４の他に、キャッシュアウト情報を表示し、キャッシュアウトする払出金額の入力を受け付ける外部の端末装置として、図４に示すようにスマートフォン６を備える点で実施の形態１と相違する。なお、外部の端末装置としてスマートフォン６を用いる場合について説明するが、ユーザが用いる携帯型の端末装置であれば特にこれに限定されるものではない。
【００６９】
図９は、本発明の実施の形態２に係るキャッシュアウトシステムのスマートフォン（外部の端末装置）６の構成を示すブロック図である。図９に示すように、本実施の形態２に係るスマートフォン６は、少なくとも画面を表示する表示部とデータ入力を受け付ける入力部とを兼務したタッチディスプレイ６１を備えている。タッチディスプレイ６１に表示された課金識別子をリーダ５で読み取ることにより、キャッシュアウトを行うことができる。
【００７０】
現金決済端末１、カード決済端末２、課金管理装置４、リーダ５の構成は実施の形態１と同様であることから、同一の符号を付することにより詳細な説明は省略する。
【００７１】
以下、本発明の実施の形態２に係るキャッシュアウトシステムの動作について説明する。図１０は、本発明の実施の形態２に係るキャッシュアウトシステムの機能ブロック図である。
【００７２】
図１０に示すように、現金決済端末１のキャッシュアウト情報生成部１０１は、キャッシュアウトすることが可能な金額と対応付けたキャッシュアウト情報を生成する。この時点で実際に店舗において払い出すことが可能な現金に合わせてキャッシュアウト情報を生成することができ、支払うための現金が過少になることを未然に防ぐことができる。
【００７３】
現金決済端末１の現金払出可能金額提供部１０２は、生成されたキャッシュアウト情報に対応付けられた現金払出可能金額を少なくともスマートフォン６へ送信（提供）する。（課金管理装置４へ送信しても良いが、スマートフォン６に送信している限り必須ではない。）なお、受信したスマートフォン６等ではこの時点で現金払出可能金額を表示することはないので、送信先を特定することなく近距離通信で送信しても良い。現金をキャッシュアウトしたいユーザは、金融機関システム７とリンクしているカード、例えばキャッシュカード、デビットカード等をカード決済端末２のカード読取部２０１で読み取らせて、暗証番号取得部２０２で暗証番号を入力する。
【００７４】
暗証番号の正否は、照合部２０３が金融機関システム７とデータ通信することで照合する。照合部２０３で暗証番号が正しいと判断された場合には、少なくともカード読み取り時に取得した識別子を有するスマートフォン６へその旨を示す情報を送信する。もちろん、スマートフォン６をカード決済端末２にかざして送信しても良い。このタイミングでスマートフォン６のタッチディスプレイ６１に現金払出可能金額表示部６０１が現金払出可能金額を含めた必要な情報を表示する。
【００７５】
すなわち、スマートフォン６の現金払出可能金額表示部６０１は、現金決済端末１から受信して記憶してある現金払出可能金額をタッチディスプレイ６１に表示し、払出金額入力受付部６０２は、ユーザから払出金額の入力を受け付ける。図１１は、本発明の実施の形態２に係るキャッシュアウトシステムのスマートフォン６の払出可能金額の表示画面の例示図である。
【００７６】
図１１に示すように、スマートフォン６のタッチディスプレイ６１では、現金決済端末１のキャッシュアウト情報生成部１０１で生成されたキャッシュアウト情報を、現金の券種ごとに表示する。図１１の例では、払出金額の表示領域１１１に１万円札が２０枚、千円札が１００枚、キャッシュアウト用に現金決済端末１に準備されていることを表示している。
【００７７】
ユーザは、キャッシュアウトしたい現金を券種を含めて指定することができる。図１２は、本発明の実施の形態２に係るキャッシュアウトシステムのスマートフォン６の払出金額入力画面の例示図である。
【００７８】
図１２に示すように、図１１に示す画面の払出金額入力ボタン１１２が選択された場合、スマートフォン６のタッチディスプレイ６１に払出金額入力画面が表示される。図１２において、金額指定ボタン１２２を選択して、払出金額を表示領域１２１に表示させる。
【００７９】
払出金額が確定した時点で、確認ボタン１２３を選択することで払出金額が確定する。この状態でＯＫボタン１２７を選択した場合、券種は特に指定されずにキャッシュアウトされる。
【００８０】
ＯＫボタン１２７を選択せずに、キャッシュアウトする券種を指定することもできる。この場合、指定することが可能な券種は、券種残表示領域１２４に表示されている。設定ボタン１２５で、払い出す券種とその枚数の指定を受け付け、総計表示領域１２６で確認する。最後に、ＯＫボタン１２７が選択された場合、指定を受け付けた券種によるキャッシュアウト指示として払出金額に関する情報が現金決済端末１へと送信され、キャッシュアウトが実行される。なお、払出金額に関する情報には、店舗が定める所定の手数料も含まれる。
【００８１】
図１０に戻って、図１２のＯＫボタン１２７が選択された時点で、払出金額に関する情報は課金管理装置４へも送信される。払出金額に関する情報を受信した課金管理装置４の課金識別子生成部４０３は、入力を受け付けた払出金額に関する情報に含まれる払出金額及び券種に対応した課金識別子を生成する。課金識別子としては、バーコード、ＱＲコード（登録商標）等、現金決済端末１に接続されているリーダ５を介して読み取り可能なコードであれば、特に限定されるものではない。
【００８２】
現金決済端末１の払出金額送信部１０３は、受信した払出金額に関する情報をカード決済端末２へ転送することで、読み取った金融機関カードに対応する金融機関システム７の指定口座からの引き落とし処理を依頼する。金融機関システム７は、払出金額と手数料との合計金額を所定の口座から引き落とす。
【００８３】
カード決済端末２の引落依頼部２０４は、現金決済端末１からの依頼を受け付けた時点で、金融機関システム７へ所定の口座からの引き落とし処理を依頼する。金融機関システム７は、所定の口座の暗証番号を照合して、正しければ引き落とし処理を実行して、引落完了通知をカード決済端末２へ送信する。暗証番号が正しくない場合、あるいは引き落とし金額以上の口座残高がない場合には、引き落とし処理はなされずに、その旨を課金管理装置４へ送信して、タッチディスプレイ４７に表示する。
【００８４】
カード決済端末２の引落完了通知受信部２０５は、金融機関システム７からの引落完了通知を受信し、課金管理装置４へ転送する。課金管理装置４は、引落完了通知を受信した場合、課金識別子送信部４０５がスマートフォン６へ転送する。課金管理装置４は、例えばカード決済端末２がカードを読み取った時に取得した識別子を有するスマートフォン６に対して、課金識別子を送信しても良い。スマートフォン６の課金識別子表示部６０３は、タッチディスプレイ６１上に、リーダ５が読み取り可能なコード、例えばバーコード、ＱＲコード（登録商標）として、既に生成されている課金識別子を表示出力する。
【００８５】
ユーザは、一定時間が経過する前に、表示出力された課金識別子をリーダ５に読み取らせる。すなわち、現金決済端末１の課金識別子読取部１０４は、表示出力された課金識別子を読み取って、払出情報を取得する。現金決済端末１の現金払出部１０５は、取得した払出情報を確認し、払出指示を表示装置１９へ表示する。これにより、店舗の店員は、現金をキャッシュアウトすることが可能となる。
【００８６】
本実施の形態２に係るキャッシュアウトシステムの現金決済端末１の制御部１１の処理手順については、実施の形態１と同様であることから、詳細な説明を省略する。
【００８７】
以上のように本実施の形態２によれば、キャッシュアウトすることが可能な金額と対応付けたキャッシュアウト情報に基づいた課金識別子をスマートフォン上に表示出力し、一定時間内に表示出力された課金識別子を読み取るので、キャッシュアウトする現金が不足することなくキャッシュアウトサービスを提供することができる。また、現金払出可能金額を課金管理装置が把握することができるので、キャッシュアウトすることが可能な金額を、現金を引き出す前に確認する手段を設けることができ、第三者がどの程度の現金が店舗に存在するかを判断することができるので、防犯上無意味な犯罪を抑制することが可能となる。
【００８８】
なお、現金決済端末１は、課金識別子を取得してから一定時間経過するまで、リーダ５が取得した課金識別子とは異なる他の課金識別子を取得しないよう設定しても良い。これにより、取得した課金識別子に関するキャッシュアウト処理が完了するまで他のキャッシュアウト処理を一定時間行わないよう制御することができるので、店舗においてキャッシュアウトするための現金が不足する事態が生じるのを未然に回避することが可能となる。
【００８９】
この場合、例えばメッセージとして、「ただいまお取り扱いを停止しています。」、あるいは「しばらくしてからお取引を開始してください。」との表示を、スマートフォン６のタッチディスプレイ６１に表示することが好ましい。これにより、ユーザはしばらくの間キャッシュアウト処理を控えることができる。
【００９０】
また、現金決済端末１は、課金識別子を取得してから一定時間経過するまでキャッシュアウト処理が行われなかった場合、課金識別子を無効にしても良い。例えば２０分以内にレジ端末において課金識別子を読み取らなかった場合等に相当する。
【００９１】
この場合、キャッシュアウトに使用しなかった現金を新たにキャッシュアウト処理用の原資として再利用できるので、必要となる現金を無駄に店舗が保管する必要がなくなり、より防犯上の安全性を増すことができる。
【００９２】
ユーザがキャッシュアウト処理を忘れないようにするべく、スマートフォン６のタッチディスプレイ６１に、例えば取引が可能となる残時間を表示しても良いし、メッセージとして「お早めにレジまでお越しください。」との表示をしても良い。また、キャッシュアウト可能な一定時間を経過した場合には、例えば「手続きを最初からやり直してください。」、さらに「ご希望される金額を出金できない場合がございます。」等のメッセージをスマートフォン６のタッチディスプレイ６１に表示することが好ましい。無用な混乱を避けるためである。
【００９３】
なお、スマートフォン６を用いる場合には、専用のアプリをダウンロードすることができる。したがって、ダウンロードされた専用のアプリに決済方法に関する情報を事前に登録しておくことにより、カード決済端末２と金融機関システム７とのデータ通信を最小限にすることができ、ユーザの利便性が向上する。
【００９４】
（実施の形態３）
本発明の実施の形態３に係るキャッシュアウトシステムの構成、及び構成要素であるカード決済端末２、現金決済端末１、課金管理装置４、リーダ５の構成は、本実施の形態１と同様であることから、同一の符号を付することにより詳細な説明を省略する。本実施の形態３は、通常の商品と同様の商品札を用いてキャッシュアウトする点で、実施の形態１及び２とは相違する。
【００９５】
以下、本発明の実施の形態３に係るキャッシュアウトシステムの動作について説明する。図１３は、本発明の実施の形態３に係るキャッシュアウトシステムの機能ブロック図である。
【００９６】
図１３に示すように、現金決済端末１のキャッシュアウト情報生成部１０１は、キャッシュアウトすることが可能な金額と対応付けたキャッシュアウト情報を生成する。この時点で実際に店舗において払い出すことが可能な現金に合わせてキャッシュアウト情報を生成することができ、支払うための現金が過少になることを未然に防ぐことができる。
【００９７】
現金決済端末１の現金払出可能金額提供部１０２は、生成されたキャッシュアウト情報に対応付けられた現金払出可能金額を課金管理装置４へ送信（提供）する。現金払出可能金額表示部４０１は、受信した現金払出可能金額を課金管理装置４のタッチディスプレイ４７に表示し、課金識別子生成部４０３は、キャッシュアウトできる金額分だけ現金払出可能金額に対応した課金識別子を生成する。課金識別子としては、バーコード、ＱＲコード（登録商標）等、現金決済端末１に接続されているリーダ５を介して読み取り可能なコードであれば、特に限定されるものではない。なお、払出金額に関する情報には、店舗が定める所定の手数料も含まれる。
【００９８】
つまり、実施の形態１及び２では、課金管理装置４はキャッシュアウトサービスを利用するユーザが使用するのに対して、実施の形態３では、店舗の管理者が使用する点で用途が相違する。図１４は、本発明の実施の形態３に係るキャッシュアウトシステムの課金管理装置４の払出可能金額の設定画面の例示図である。
【００９９】
図１４に示すように、課金管理装置４のタッチディスプレイ４７では、現金決済端末１のキャッシュアウト情報生成部１０１で生成されたキャッシュアウト情報に対して、払い出す現金の準備額である払出準備額の指定を、金額指定ボタン１４２を選択することにより払出準備額表示領域１４１に表示する。図１４の例では、キャッシュアウト情報の満額である３０万円と指定されている。３０万円を超える金額を指定する場合には、キャッシュアウト用の現金をそれに合わせて増額しておく必要がある。
【０１００】
払出準備額が確定した時点で、確認ボタン１４３を選択することで払出準備額が確定する。この状態でＯＫボタン１４７を選択した場合、券種は特に指定されない。
【０１０１】
ＯＫボタン１４７を選択せずに、キャッシュアウトすることが可能な券種を指定する場合、券種表示領域１４４を見ながら、券種を指定することが可能な設定ボタン１４５を選択して、キャッシュアウトする券種を設定する。設定ボタン１４５で、払い出す券種とその枚数の指定を受け付け、総計表示領域１４６で払出準備額と一致しているか確認しながら設定する。最後に、ＯＫボタン１４７が選択された場合、指定を受け付けた券種による、図１３に示す商品札８が印刷される。
【０１０２】
印刷出力部４０６は、商品札８に券種別に課金識別子を印刷する。印刷時には、店舗ごとの手数料を付加した金額分の課金識別子を印刷する。例えば１００００円のキャッシュアウトに対して手数料２１６円を付加した１０２１６円の商品札８１を印刷する。同様に１０００円のキャッシュアウトに対して手数料１０８円を付加した１０１０８円の商品札８２を印刷する。
【０１０３】
印刷された商品札８（８１、８２）は、通常の商品と同様に商品棚に陳列される。したがって、陳列されている分だけの現金が準備されていることを示しており、陳列するか否かで、店舗ごとにキャッシュアウト可能な金額を調整することができる。
【０１０４】
現金をキャッシュアウトしたいユーザは、まずキャッシュアウトしたい金額分の商品札８（８１、８２）を現金決済端末１へ持ち込んで、課金識別子を読み取らせる。そして、金融機関システム７とリンクしているカード、例えばキャッシュカード、デビットカード等をカード決済端末２のカード読取部２０１で読み取らせて、暗証番号取得部２０２で暗証番号を入力する。
【０１０５】
暗証番号の正否は、照合部２０３が金融機関システム７とデータ通信することで照合する。照合部２０３で暗証番号が正しいと判断された場合には、現金決済端末１へその旨を示す情報を送信する。暗証番号が正しい旨を示す情報を受信した現金決済端末１は、リーダ５による商品札８の読み取り可能状態とする。
【０１０６】
現金決済端末１の課金識別子読取部１０４は、商品札８に印刷された課金識別子を読み取って、払出金額に関する情報を取得する。現金決済端末１の払出金額送信部１０３は、受信した払出金額に関する情報をカード決済端末２へ転送することで、読み取った金融機関カードに対応する金融機関システム７の指定口座からの引き落とし処理を依頼する。金融機関システム７は、払出金額と手数料との合計金額を所定の口座から引き落とす。
【０１０７】
カード決済端末２の引落依頼部２０４は、現金決済端末１からの依頼を受け付けた時点で、金融機関システム７へ所定の口座からの引き落とし処理を依頼する。金融機関システム７は、所定の口座の暗証番号を照合して、正しければ引き落とし処理を実行して、引落完了通知をカード決済端末２へ送信する。暗証番号が正しくない場合、あるいは引き落とし金額以上の口座残高がない場合には、引き落とし処理はなされずに、その旨を課金管理装置４へ送信して、タッチディスプレイ４７に表示する。
【０１０８】
カード決済端末２の引落完了通知受信部２０５は、金融機関システム７からの引落完了通知を受信し、現金決済端末１の現金払出部１０５へ転送する。現金払出部１０５は、払い出し指示を表示装置１９へ表示する。これにより、店舗の店員は、現金をキャッシュアウトすることが可能となる。
【０１０９】
図１５は、本発明の実施の形態３に係るキャッシュアウトシステムの現金決済端末１の制御部１１の処理手順を示すフローチャートである。図１５に示すように、現金決済端末１の制御部１１は、キャッシュアウトすることが可能な金額と対応付けたキャッシュアウト情報を生成する（ステップＳ１５０１）。この時点で実際に店舗において払い出すことが可能な現金に合わせてキャッシュアウト情報を生成することができ、支払うための現金が過少になることを未然に防ぐことができる。
【０１１０】
制御部１１は、生成されたキャッシュアウト情報に対応付けられた現金払出可能金額を課金管理装置４へ送信（提供）する（ステップＳ１５０２）。現金をキャッシュアウトしたい、商品札８の課金識別子を読み取らせたユーザは、金融機関システム７とリンクしているカード、例えばキャッシュカード、デビットカード等をカード決済端末２で読み取らせて、暗証番号を入力する。
【０１１１】
暗証番号が正しいと判断された場合には、現金決済端末１へその旨を示す情報を送信し、制御部１１は、このタイミングで商品札８に印刷された課金識別子を読み取る（ステップＳ１５０３）。
【０１１２】
制御部１１は、カード決済端末２からの引落完了通知を受信して（ステップＳ１５０４）、読み取った金融機関カードに対応する金融機関システム７の指定口座からの引き落とし処理を依頼する。なお、払出金額に関する情報には、店舗が定める所定の手数料も含まれる。
【０１１３】
制御部１１は、取得した払出情報を確認し、払い出し指示を表示装置１９へ表示する（ステップＳ１５０５）。これにより、店舗の店員は、現金をキャッシュアウトすることが可能となる。
【０１１４】
以上のように本実施の形態３によれば、キャッシュアウトすることが可能な金額と対応付けたキャッシュアウト情報に基づいた課金識別子を商品札に印刷し、通常の商品と同等の処理でキャッシュアウトすることができるので、キャッシュアウトにより現金が不足することなくキャッシュアウトサービスを提供することができる。また、現金払出可能金額は商品棚に陳列されている商品札の枚数で把握することができるので、キャッシュアウトすることが可能な金額を、現金を引き出す前に確認することができ、第三者がどの程度の現金が店舗に存在するかを判断することができるので、防犯上無意味な犯罪を抑制することが可能となる。
【０１１５】
なお、現金決済端末１は、課金識別子を読み取ってから一定時間経過するまで、リーダ５が読み取った課金識別子とは異なる他の課金識別子を読み取ることができないよう設定しても良い。これにより、読み取られた課金識別子に関するキャッシュアウト処理が完了するまで他のキャッシュアウト処理を一定時間行わないよう制御することができるので、店舗においてキャッシュアウトするための現金が不足する事態が生じるのを未然に回避することが可能となる。
【０１１６】
また、現金決済端末１は、課金識別子を読み取ってから一定時間経過するまでキャッシュアウト処理が行われなかった場合、課金識別子を無効にしても良い。例えば２０分以内にレジ端末において課金識別子を読み取らなかった場合等に相当する。
【０１１７】
この場合、キャッシュアウトに使用しなかった現金を新たにキャッシュアウト処理用の原資として再利用できるので、必要となる現金を無駄に店舗が保管する必要がなくなり、より防犯上の安全性を増すことができる。
【０１１８】
（実施の形態４）
本発明の実施の形態４に係るキャッシュアウトシステムの構成は、基本的に実施の形態１と同様である。しかし、本実施の形態４に係るキャッシュアウトシステムは、カード決済をすべて外部の端末装置、例えばスマートフォン６で行うため、カード決済端末２が存在せず、現金決済端末（レジ端末）１を現状のままのシステムとして使用する（特段のコンピュータプログラムを別個に導入しない）点で実施の形態１とは相違する。外部の端末装置としてスマートフォン６を用いる場合について説明するが、ユーザが用いる携帯型の端末装置であれば特にこれに限定されるものではない。
【０１１９】
本発明の実施の形態４に係るキャッシュアウトシステムのスマートフォン（外部の端末装置）６の構成は、実施の形態２と同様であることから、同一の符号を付することにより、詳細な説明を省略する。本実施の形態４に係るスマートフォン６は、少なくともネットワーク３を介して金融機関システム７にログインすることができるよう設定されていることを前提とする。
【０１２０】
以下、本発明の実施の形態４に係るキャッシュアウトシステムの動作について説明する。図１６は、本発明の実施の形態４に係るキャッシュアウトシステムの機能ブロック図である。
【０１２１】
図１６に示すように、課金管理装置４のキャッシュアウト情報生成部４４１は、キャッシュアウトすることが可能な金額と対応付けたキャッシュアウト情報を生成する。この時点で実際に店舗において払い出すことが可能な現金に合わせてキャッシュアウト情報を生成することができ、支払うための現金が過少になることを未然に防ぐことができる。
【０１２２】
なお、スマートフォン６は、インターネットバンキング等で金融機関システム７にすでにログインしている状態では、インターネットバンキングのサービスメニューとして現金払出可能金額を表示しても良い。ログインしている身元のはっきりしているユーザにのみキャッシュアウト情報を表示することでセキュリティを容易に確保することができるからである。
【０１２３】
また、現金払出可能金額を表示する時点で、金融機関システム７から取得したユーザの銀行口座残高に応じた金額を表示するようにしても良い。例えば、店舗の現金払出可能金額が２０万円であるのに対して、キャッシュアウトを希望するユーザの銀行口座残高が５万円だった場合、額の少ない方である５万円を現金払出可能金額として表示することが好ましい。
【０１２４】
課金管理装置４の現金払出可能金額提供部４４２は、生成されたキャッシュアウト情報に対応付けられた現金払出可能金額を少なくともスマートフォン６へ送信（提供）する。
【０１２５】
なお、課金管理装置４は、現金払出可能金額をスマートフォン６に送信した時点で送信履歴を残すようにしても良い。ユーザからのアクセスに対して履歴を残しておくことにより不正使用に対する牽制効果があるからである。また、後述する現金払出部１０５が現金を払出した時点で履歴を削除するようにしても良い。このようにすることで、単に現金払出金額の情報を取得したユーザの履歴のみが残るので、不正使用に対する牽制効果が高まることが期待できる。
【０１２６】
すなわち、スマートフォン６の現金払出可能金額表示部６４１は、課金管理装置４から受信して記憶してある現金払出可能金額をタッチディスプレイ６１に表示し、払出金額入力受付部６４２は、ユーザから払出金額の入力を受け付ける。図１７は、本発明の実施の形態４に係るキャッシュアウトシステムのスマートフォン６の払出可能金額の表示画面の例示図である。
【０１２７】
図１７に示すように、スマートフォン６のタッチディスプレイ６１では、課金管理装置４のキャッシュアウト情報生成部４４１で生成されたキャッシュアウト情報を、現金の券種ごとに表示する。図１７の例では、払出金額の表示領域１７１に１万円札が２０枚、千円札が１００枚、キャッシュアウト用に現金決済端末１に準備されていることを表示している。
【０１２８】
ユーザは、キャッシュアウトしたい現金を券種を含めて、払出金額を入力する。図１８は、本発明の実施の形態４に係るキャッシュアウトシステムのスマートフォン６の払出金額入力画面の例示図である。
【０１２９】
図１８に示すように、図１７に示す画面の払出金額入力ボタン１７２が選択された場合、スマートフォン６のタッチディスプレイ６１に払出金額入力画面が表示される。図１８において、金額指定ボタン１８２を選択して、払出金額を表示領域１８１に表示させる。
【０１３０】
払出金額が確定した時点で、確認ボタン１８３を選択することで払出金額が確定する。この状態でＯＫボタン１８７を選択した場合、券種は特に指定されずにキャッシュアウトされる。
【０１３１】
ＯＫボタン１８７を選択せずに、キャッシュアウトする券種を指定することもできる。この場合、指定することが可能な券種は、券種残表示領域１８４に表示されている。設定ボタン１８５で、払い出す券種とその枚数の指定を受け付け、総計表示領域１８６で確認する。最後に、ＯＫボタン１８７が選択された場合、指定を受け付けた券種によるキャッシュアウト指示として払出金額に関する情報が、引落依頼部６４３により金融機関システム７へと送信される。なお、払出金額に関する情報には、店舗が定める所定の手数料も含まれる。金融機関システム７は、後述するログイン処理に成功した場合には、出金額と手数料との合計金額を所定の口座から引き落とす。
【０１３２】
ＯＫボタン１８７が選択された時点で、金融機関システム７からログイン要求が通知される。キャッシュアウトしたいユーザは、ログイン部６４４により、金融機関システム７へログインするためのＩＤ及び暗証番号を入力する。
【０１３３】
暗証番号の正否は、照合部６４５が金融機関システム７とデータ通信することで照合する。照合部６４５で暗証番号が正しいと判断された場合には、少なくとも金融機関システム７で認証されたユーザのスマートフォン６であると認識し、出金額と手数料との合計金額を所定の口座から引き落とす。引落完了通知受信部６４６は、金融機関システム７から、引き落とし処理が完了した旨の引落完了通知を受信する。
【０１３４】
図１６に戻って、図１８のＯＫボタン１８７が選択された時点で、課金識別子生成部６４７は、入力を受け付けた払出金額に関する情報に含まれる払出金額及び券種に対応した課金識別子を生成する。課金識別子としては、バーコード、ＱＲコード（登録商標）等、現金決済端末１に接続されているリーダ５を介して読み取り可能なコードであれば、特に限定されるものではない。スマートフォン６の課金識別子表示部６４８は、タッチディスプレイ６１上に、リーダ５を介して読み取り可能なコード、例えばバーコード、ＱＲコード（登録商標）として、既に生成されている課金識別子を表示出力する。
【０１３５】
ユーザは、一定時間が経過する前に、表示出力された課金識別子をリーダ５に読み取らせる。すなわち、現金決済端末１の課金識別子読取部１０４は、表示出力された課金識別子を読み取って、払出情報を取得する。現金決済端末１の現金払出部１０５は、取得した払出情報を確認し、払出指示を表示装置１９へ表示する。これにより、店舗の店員は、現金をキャッシュアウトすることが可能となる。
【０１３６】
図１９は、本発明の実施の形態４に係るキャッシュアウトシステムのスマートフォン６の処理手順を示すフローチャートである。なお、スマートフォン６には、スマートフォン６の動作を制御し、ダウンロードされて内蔵されている各種プログラムを実行する、ＣＰＵ等の演算処理の実行部が備えられている。
【０１３７】
図１９に示すように、スマートフォン６は、課金管理装置４から受信して記憶してある現金払出可能金額をタッチディスプレイ６１に表示し（ステップＳ１９０１）、ユーザから払出金額の入力を受け付ける（ステップＳ１９０２）。スマートフォン６の制御部は、入力を受け付けた払出金額の引き落とし処理を金融機関システム７へ依頼する（ステップＳ１９０３）。
【０１３８】
スマートフォン６は、金融機関システム７から通知されたログイン要求に応じてログイン処理を実行する（ステップＳ１９０４）。具体的には、金融機関システム７へログインするためのＩＤ及び暗証番号を入力する。
【０１３９】
スマートフォン６は、入力されたＩＤに対応する暗証番号を金融機関システム７とデータ通信することで照合して、ログイン処理に成功したか否かを判断する（ステップＳ１９０５）。スマートフォン６が、ログイン処理に失敗したと判断した場合（ステップＳ１９０５：ＮＯ）、スマートフォン６は、処理をステップＳ１９０４に戻して上述した処理を繰り返す。
【０１４０】
スマートフォン６が、ログイン処理に成功したと判断した場合（ステップＳ１９０５：ＹＥＳ）、スマートフォン６は、金融機関システム７から、引き落とし処理が完了した旨を示す引落完了通知を受信する（ステップＳ１９０６）。
【０１４１】
スマートフォン６は、入力を受け付けた払出金額に関する情報に含まれる払出金額及び券種に対応した課金識別子を生成する（ステップＳ１９０７）。課金識別子としては、バーコード、ＱＲコード（登録商標）等、現金決済端末１に接続されているリーダ５を介して読み取り可能なコードであれば、特に限定されるものではない。スマートフォン６は、タッチディスプレイ６１上に、リーダ５で読み取り可能なコード、例えばバーコード、ＱＲコード（登録商標）として、既に生成されている課金識別子を表示出力する（ステップＳ１９０８）。
【０１４２】
ユーザは、一定時間が経過する前に、表示出力された課金識別子をリーダ５に読み取らせる。すなわち、現金決済端末１の課金識別子読取部１０４は、表示出力された課金識別子を読み取って、払出情報を取得する。現金決済端末１の現金払出部１０５は、取得した払出情報を確認し、払出指示を表示装置１９へ表示する。これにより、店舗の店員は、現金をキャッシュアウトすることが可能となる。
【０１４３】
以上のように本実施の形態４によれば、キャッシュアウトすることが可能な金額と対応付けたキャッシュアウト情報に基づいた課金識別子をスマートフォン上に表示出力し、一定時間内に表示出力された課金識別子を読み取るので、キャッシュアウトする現金が不足することなくキャッシュアウトサービスを提供することができる。また、現金払出可能金額を課金管理装置が把握することができるので、キャッシュアウトすることが可能な金額を、現金を引き出す前に確認する手段を設けることができ、第三者がどの程度の現金が店舗に存在するかを判断することができるので、防犯上無意味な犯罪を抑制することが可能となる。
【０１４４】
なお、課金管理装置４は、店舗ごとに設置する構成であっても良いし、スマートフォン６とデータ通信することが可能な外部サーバであっても良い。店舗ごとに課金管理装置４を設置している場合、スマートフォン６により、その店舗の現金払出可能金額等を直接把握できるようにしても良い。
また、外部サーバを用いる場合、複数の店舗のキャッシュアウト情報を一元管理することもできる。一元管理している場合には、ユーザは、スマートフォン６を店舗内の例えば現金決済端末１のタッチパネルにかざすことにより、その店舗の現金払出可能金額等を現金決済端末１が外部サーバから取得して、スマートフォン６へ転送するようにしても良い。
【０１４５】
また、外部サーバを用いる場合であっても、各店舗の端末、例えば現金決済端末１に対して、キャッシュアウトできる状態であるか否かに関する情報を送信できることが好ましい。例えば店舗ごとの現金決済端末１のタッチパネル等に「キャッシュアウトサービス中」等のメッセージが表示されている場合にのみ、キャッシュアウトサービスを実施することができるからである。特に、夜間のサービス停止に効力を発揮する。もちろん、スマートフォン６へ直接メッセージとして配信しても良いことは言うまでもない。
【０１４６】
その他、本発明は上記実施例に限定されるものではなく、本発明の趣旨の範囲内であれば多種の変形、置換等が可能である。例えば、上記実施例では、金融機関カードとしてデビットカードを用いて決済を行なっているが、特にこれに限定されるものではなく、クレジットカード等を用いて決済を行なっても良い。
【０１４７】
また、上記実施例では、現金決済端末（レジ端末）１には、カード決済端末２としてのデビットカード端末が接続され、デビットカードサービスを利用してカード決済処理を行っているが、カード決済方法は特にこれに限定されるものではない。例えば、公知の銀行ＰＯＳ端末を利用しても良く、この場合、銀行ＰＯＳ端末は、カード発行銀行のホストシステムに直接、接続される。
【０１４８】
さらに上記実施例では、現金決済端末（レジ端末）１と、カード決済端末（デビットカード端末）２とをデータ通信することが可能に接続して利用しているが、特に別個に設けることに限定されるものではなく、一つの筐体に格納しても良い。
【０１４９】
また、カード決済端末、現金決済端末、課金管理装置については、それぞれの機能を合体した装置であっても良い。例えば、カード決済端末と現金決済端末とが合体した装置、現金決済端末と課金管理装置とが合体した装置、カード決済端末と現金決済端末と課金管理装置とが合体した装置であっても良い。
【符号の説明】
【０１５０】
１  現金決済端末
２  カード決済端末
３  ネットワーク
４  課金管理装置
５  リーダ
６  スマートフォン（外部の端末装置）
７  金融機関システム
８  商品札
１１  制御部
１２  メモリ
１３  記憶装置
１４  Ｉ／Ｏインタフェース
１５  可搬型ディスクドライブ
１６  通信インタフェース
１７  内部バス
９０  可搬型記録媒体
１００  コンピュータプログラム
【図１】
2020166574.tif 000003
【図２】
2020166574.tif 000004
【図３】
2020166574.tif 000005
【図４】
2020166574.tif 000006
【図５】
2020166574.tif 000007
【図６】
2020166574.tif 000008
【図７】
2020166574.tif 000009
【図８】
2020166574.tif 000010
【図９】
2020166574.tif 000011
【図１０】
2020166574.tif 000012
【図１１】
2020166574.tif 000013
【図１２】
2020166574.tif 000014
【図１３】
2020166574.tif 000015
【図１４】
2020166574.tif 000016
【図１５】
2020166574.tif 000017
【図１６】
2020166574.tif 000018
【図１７】
2020166574.tif 000019
【図１８】
2020166574.tif 000020
【図１９】
2020166574.tif 000021